(57)【要約】【課題】蓄電装置を組み立てる際に発生する不具合を回避し、歩留まりの向上を図る。【解決手段】電極端子１１２、および、安全弁１１４が設けられた筐体１１１を有する電池１０１と、電池１０１を収容する外装体１０２と、安全弁１１４の周縁空間に、安全弁１１４が設けられている筐体１１１の面と交差する方向に沿って配置される一部が切り欠かれた防護壁１５１とを備える。【選択図】図２
2014197514.tif 000002
【特許請求の範囲】
【請求項１】
電極端子、および、安全弁が設けられた筐体有する蓄電素子と、
前記蓄電素子を収容する外装体と、
前記安全弁の周縁空間に、前記安全弁が設けられている前記筐体の面と交差する方向に沿って配置される一部が切り欠かれた防護壁と
を備える蓄電装置。
【請求項２】
さらに、
前記電極端子に電気的に接続され、前記防護壁の切り欠かれた部分にまで延在する導電体
を備える請求項１に記載の蓄電装置。
【請求項３】
さらに、
前記外装体の内方に配置され前記蓄電素子の位置を規制し、前記蓄電素子の前記安全弁に対向する位置に貫通孔を有する規制体
を備える請求項１または２に記載の蓄電装置。
【請求項４】
前記防護壁は、前記安全弁に対向する位置に存在しないように配置される
請求項１〜３のいずれか１項に記載の蓄電装置。
【請求項５】
前記防護壁は、前記安全弁に対向する位置に存在するように配置される
請求項１〜３のいずれか１項に記載の蓄電装置。
【請求項６】
前記導電体は、
前記防護壁を越えるように延在する第一導電体と、
前記電極端子と前記第一導電体とを電気的に接続する第二導電体とを備える
請求項１〜５のいずれか１項に記載の蓄電装置。
【請求項７】
前記第二導電体は、安全弁の上方に延在する
請求項６に記載の蓄電装置。
【請求項８】
前記第二導電体は、前記電極端子の位置から前記安全弁の周縁近傍にまで延在する
請求項６または７に記載の蓄電装置。
【請求項９】
さらに、
前記第一導電体と電気的に接続され前記外装体に取り付けられる第一外部電極と、
前記第一外部電極と前記電極端子との間に配置され、前記第一導電体に接続される電気機器と
を備える請求項６〜８のいずれか１項に記載の蓄電装置。
【請求項１０】
前記蓄電素子は、複数の単電池で構成されており、
それぞれの前記単電池は、隣り合う単電池の一方の前記単電池の正極の前記電極端子と他方の前記単電池の負極の前記電極端子とが隣り合うように配置され、隣り合う正極の前記電極端子と負極の前記電極端子とが接続されて電気的に直列接続されている
請求項１〜９のいずれか１項に記載の蓄電装置。
【発明の詳細な説明】
【技術分野】
【０００１】
本願発明は、安全弁を備えた蓄電素子を外装体内方に収容した蓄電装置に関する。
【背景技術】
【０００２】
充放電が可能な蓄電素子には内部の圧力が高まった場合に圧力を開放するための安全弁が筐体に設けられる場合がある。
【０００３】
例えば特許文献１には、安全弁が設けられたセルを複数並べて構成された組電池が記載されている。また、特許文献１のセルにはカバーが取り付けられており、当該カバーの安全弁対応位置には安全弁から放出されるガスや液体を案内するダクトが安全弁を囲む態様で設けられている。
【先行技術文献】
【特許文献】
【０００４】
【特許文献１】特開２０１１−９１０４３号公報
【発明の概要】
【発明が解決しようとする課題】
【０００５】
特許文献１に記載されるような組電池の場合、安全弁から放出されるガスや液体を所定の場所に案内するダクトが必要な場合もあるが、当該ダクトのために、蓄電素子に接続されるバスバーの取り回しなどが複雑となり、蓄電素子の上方に広い空間が必要となる場合があり、蓄電素子やバスバーなどを備えた蓄電装置全体としての体積が増加することになる。
【０００６】
また、このような蓄電装置を組み立てる際に、安全弁に不本意に工具や部材が接触したり落下し、安全弁に不具合が発生する場合があることを発明者は見出すに至った。このように組み立て工程において安全弁に不具合が発生したセル（単電池）は使用することができないため、結果として歩留まりの悪化につながることになる。
【０００７】
特許文献１に記載の技術によれば、安全弁の周囲全体にわたって防護壁を設ける構造であれば、安全弁に向かって不本意に物が落下した場合でも防護壁が物と安全弁との接触を回避することができるが、蓄電素子の安全弁の周囲に構造物が配置されない状態とすれば、バスバーなどをすっきりと取り回すことができ、蓄電装置全体としての体積を減少させることが可能となる。
【０００８】
本願発明は、上記知見に基づきなされたものであり、全体としての体積の増加を抑制しつつ、蓄電装置を組み立てる際に安全弁を保護し、歩留まりを向上させることができる蓄電装置の提供を目的とする。
【課題を解決するための手段】
【０００９】
上記目的を達成するために、本願発明にかかる蓄電装置は、電極端子、および、安全弁が設けられた筐体を有する蓄電素子と、前記蓄電素子を収容する外装体と、前記安全弁の周縁空間に、前記安全弁が設けられている前記筐体の面と交差する方向に沿って配置される一部が切り欠かれた防護壁とを備えることを特徴とする。
【００１０】
これによれば、防護壁により工具や部品などが不本意に安全弁に落下する可能性を低下させることができ、蓄電装置の歩留まりを向上させることが可能となる。また、防護壁の切り欠きにより配線の自由度を向上させることができ、蓄電素子全体としての体積増加を抑制することができる。
【００１１】
さらに、前記電極端子に電気的に接続され、前記防護壁の切り欠かれた部分にまで延在する導電体を備えてもよい。
【００１２】
これによれば、防護壁の切り欠きに導電体を入れるとスペース効率が良くなる。
【００１３】
さらに、前記外装体の内方に配置され前記蓄電素子の位置を規制し、前記蓄電素子の前記安全弁に対向する位置に貫通孔を有する規制体を備えてもよい。
【００１４】
これによれば、規制体が邪魔になることなく安全弁から放出されるガスや液体を放出することが可能となる。
【００１５】
また、前記防護壁は、前記安全弁に対向する位置に存在しないように配置されるものでもよい。
【００１６】
これによれば、安全弁の開放や、安全弁からの排出物の放出を妨げない。
【００１７】
また、前記防護壁は、前記安全弁に対向する位置に存在するように配置されるものでもよい。
【００１８】
これによれば、安全弁からの排出物の外装体内の飛散を防ぐことができる。
【００１９】
また、前記導電体は、前記防護壁を越えるように延在する第一導電体と、前記電極端子と前記第一導電体とを電気的に接続する第二導電体とを備えてもよい。
【００２０】
これによれば、防護壁を越えて導電体を配置することができ、防護壁を横方向に回避することなくすっきりした態様で導電体を配置することができる。従って、蓄電装置全体としては体積の増加を抑制することが可能となる。
【００２１】
また、前記第二導電体は、安全弁の上方に延在してもよい。
【００２２】
これによれば、第二導電体により安全弁を保護することができる。
【００２３】
また、前記第二導電体は、前記電極端子の位置から前記安全弁の周縁近傍にまで延在するものでもよい。
【００２４】
これによれば、第二導電体がバスバーなどの場合、第二導電体が電極端子から安全弁近傍まで延びているので、第二導電体を蓄電素子に固定できる箇所が大きくなる。したがって、第二導電体を固定する作業の作業性を向上させることができる。
【００２５】
さらに、前記第一導電体と電気的に接続され前記外装体に取り付けられる第一外部電極と、前記第一外部電極と前記電極端子との間に配置され、前記第一導電体に接続される電気機器とを備えてもよい。
【００２６】
これによれば、蓄電素子の充電や放電を監視し、制御などをすることができる電気機器をコンパクトに収容することが可能となる。
【００２７】
また、前記蓄電素子は、複数の単電池で構成されており、それぞれの前記単電池は、隣り合う単電池の一方の前記単電池の正極の前記電極端子と他方の前記単電池の負極の前記電極端子とが隣り合うように配置され、隣り合う正極の前記電極端子と負極の前記電極端子とが接続されて電気的に直列接続されているものでもよい。
【００２８】
これによれば、容量の大きい蓄電装置でありながら全体の体積を小さく抑えることが可能となる。
【発明の効果】
【００２９】
本願発明によれば、蓄電装置を組み立てる際に安全弁の損傷の発生を抑制することができ、かつ、蓄電装置全体の体積を小さくすることが可能となる。
【図面の簡単な説明】
【００３０】
【図１】図１は、蓄電装置を示す斜視図である。
【図２】図２は、蓄電装置の蓋体を外した状態を示す斜視図である。
【図３】図３は、蓄電装置の外装体と規制体とを省略して示す斜視図である。
【図４】図４は、規制体を示す斜視図である。
【図５】図５は、導電体と防護壁との関係を模式的に示す斜視図である。
【図６】図６は、別態様の第二導電体における導電体と防護壁との関係を模式的に示す斜視図である。
【発明を実施するための形態】
【００３１】
次に、本願発明に係る蓄電装置の実施の形態について、図面を参照しつつ説明する。なお、以下の実施の形態は、本願発明に係る蓄電装置の一例を示したものに過ぎない。従って本願発明は、以下の実施の形態を参考に請求の範囲の文言によって範囲が画定されるものであり、以下の実施の形態のみに限定されるものではない。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００３２】
図１は、蓄電装置を示す斜視図である。
【００３３】
図２は、蓄電装置の蓋体を外した状態を示す斜視図である。
【００３４】
図３は、蓄電装置の外装体と規制体とを省略して示す斜視図である。
【００３５】
これらの図に示すように、蓄電装置１００は、電池１０１と、導電体１０３と、外装体１０２と、規制体１０５とを備えている。本実施の形態の場合、蓄電装置１００は、可搬性のある蓄電モジュールであり、充放電の状態を自ら監視できるものとなっている。
【００３６】
電池１０１は、充電することができ、また、放電することのできる素子であり、筐体１１１と、複数の電極端子１１２と、安全弁１１４とを備えている。
【００３７】
筐体１１１は、発電要素や電解液などを密封状態で収容する部材であり、電池１０１の構造強度を担う部材である。本実施の形態の場合、電池１０１は、単体でバッテリとして機能する複数の単電池１１０で構成されており、単電池１１０の躯体の集合体が電池１０１の筐体１１１を構成している。
【００３８】
電極端子１１２は、筐体１１１の一面に配置される部材であり、筐体１１１の外方と内方との間で電気を導通する部材である。本実施の形態の場合、単電池１１０は同方向に向かって突出する正極、および、負極にそれぞれ対応する二つの電極端子１１２を備えており、電池１０１は、構成される単電池１１０の数の倍数個の電極端子１１２を備えている。
【００３９】
また、単電池１１０の躯体は、長壁面同士が対向するように配置されており、隣り合う単電池１１０の一方の単電池１１０の正極の電極端子１１２と他方の単電池１１０の負極の電極端子１１２とが隣り合うように配置されている。また、単電池１１０は、隣り合う正極の電極端子１１２と負極の電極端子１１２とがバスバー１１３に接続されて電気的に直列接続されており、これら直列接続された複数個の単電池１１０により電池１０１が構成されている。つまり本実施の形態の場合、電池１０１は組電池である。以下、断りがない限り電極端子１１２とは、電気的に直列接続された単電池１１０の開放端の電極端子１１２を示すものとする。
【００４０】
安全弁１１４は、筐体１１１内部の圧力を開放する弁であり、筐体１１１の強度よりも安全弁１１４の強度は弱く設定され、筐体１１１内部の圧力が高まった場合に圧力を開放することができる部材である。本実施の形態の場合、安全弁１１４は、単電池１１０が備える電極端子１１２に挟まれた位置に配置されている。従って、電池１０１は、単電池１１０の数だけ安全弁１１４を同一の平面内に備えている。
【００４１】
外装体１０２は、電池１０１、第一導電体１３１と、第二導電体１３２と、電気機器１０４とを収容する箱状の部材である。本実施の形態の場合、外装体１０２は、組電池である電池１０１を構成する単電池１１０を所定の位置に配置し、電池１０１を衝撃などから保護し、電池１０１が不本意に金属部材などに接触することを回避する外装体本体１２１と、蓋体１２２とを備えている。外装体１０２は、絶縁性の材料、例えば樹脂などにより構成されている。
【００４２】
図４は、規制体を示す斜視図である。
【００４３】
規制体１０５は、外装体１０２の内方に配置され、外装体１０２の内方における電池１０１の位置を規制（決定）する部材であり、いわゆる中蓋である。本実施の形態の場合、電池１０１は、複数の単電池１１０で構成されており、規制体１０５は、外装体１０２の内方におけるそれぞれの単電池１１０の位置を規制（決定）し、単電池１１０相互間の位置関係も規制（決定）している。これにより、外装体１０２の内方で単電池１１０がばらばらに揺れ動き、単電池１１０同士が衝突して傷つくなどの不具合を回避することができる。規制体１０５は、絶縁性の材料（例えば樹脂）で形成されている。
【００４４】
また本実施の形態の場合、規制体１０５には、板状の一部が切り欠かれた防護壁１５１が設けられている。防護壁１５１は、安全弁１１４の周縁空間において導電体１０３が配置されていない部分に設けられている。また、防護壁１５１は、筐体１１１の安全弁１１４が設けられている面と交差する方向に沿って配置されている。防護壁１５１は、蓄電装置１００を組み立てる際において、安全弁１１４に工具や部品が接触して安全弁１１４に損傷が発生する可能性を軽減する機能を担っている。
【００４５】
なお、防護壁１５１は、規制体１０５に設けられるばかりでなく、安全弁１１４の外周部に接着剤で取り付けるようなものでもかまわない。また、切り欠きとは、防護壁の下部が少し残っている状態（凹部）も含めるものとして記載している。また、安全弁外周のほんの一部のみ防護壁が配置され、それ以外の外周には防護壁が無い状態でも切り欠きである。また、防護壁１５１は、安全弁１１４に対向する位置に存在してもしなくてもよい。
【００４６】
本実施の形態の場合、規制体１０５は、電池１０１の安全弁１１４に対向する位置に貫通孔１５２が設けられており、防護壁１５１は、貫通孔１５２の外周縁部に沿って立設されており、貫通孔１５２の全外周縁の半分程度が切り欠かれたものとなっている。また、貫通孔１５２は、扁平した六角形状の孔であり、防護壁１５１は貫通孔１５２の三辺に沿って設けられ、他の三辺に対応する部分は切り欠かれている。防護壁１５１は、曲面ではなく、屈曲した平面で構成されている。また、防護壁１５１は、安全弁１１４に対向する位置に存在しないように配置されている。
【００４７】
なお本実施の形態の場合、電池１０１は、単電池１１０の数だけ複数個の安全弁１１４を備えており、規制体１０５は、安全弁１１４の数だけ複数個の貫通孔１５２を備えている。また、安全弁１１４にまで導電体１０３が出張らない部分については、防護壁１５１は、安全弁１１４を挟むようにして配置されている。なお、挟むとは、防護壁１５１で閉じた筒形状を形成するのではなく、筒形状の少なくとも１箇所は切り欠かれた状態（破断状態）であることを意味している。
【００４８】
なお、上記記載は、曲面的に立設する防護壁１５１を除外するものでは無い。また、防護壁１５１は、安全弁１１４と対向する位置に配置されるものでもよい。
【００４９】
図５は、導電体と防護壁との関係を模式的に示す斜視図である。なお、外装体１０２は省略した状態で記載されている。
【００５０】
導電体１０３は、電極端子１１２と電気的に接続される導電性の部材である。本実施の形態の場合、一方の電極端子１１２の位置から安全弁の周縁近傍にまで延在している。導電体１０３は、第一導電体１３１と第二導電体１３２とに分離可能となっている。また、導電体１０３には、電気機器１０４が介在接続されている。
【００５１】
第一導電体１３１は、一方の電極端子１１２の位置から同一の単電池１１０の他方の電極端子１１２の位置に向かって防護壁１５１を越えるように延在する剛性のある導電性部材である。
【００５２】
本実施の形態の場合、第一導電体１３１は、第一外部電極１６１と電気機器１０４とを電気的に接続する部材である。本実施の形態の場合、第一導電体１３１は、電池１０１の一端部に配置される単電池１１０の正極側の電極端子１１２から同一の単電池１１０のバスバー１１３が接続された負極側の電極端子１１２に向かって延在する板状のバスバーであり、第一導電体１３１の一端は、第二導電体１３２を介して正極側の電極端子１１２と電気的に接続されており、他端は第一外部電極１６１が電気的に接続されている。リレー１４１は第一導電体１３１と第二導電体１３２との間に接続されている。
【００５３】
なお、第一導電体１３１は、剛性が無くてもよい。具体的には第一導電体１３１は、フレキシブルフラットケーブルなどを採用することも可能である。
【００５４】
また本実施の形態の場合、蓄電装置１００は、第三導電体１３３も備えている。第三導電体１３３は、他方の電極端子１１２の位置から一方の電極端子１１２の位置に向かって延在する剛性のある導電性部材である。第三導電体１３３は、電池１０１の他端部に配置される単電池１１０の負極側の電極端子１１２から同一の単電池１１０のバスバー１１３が接続された正極側の電極端子１１２に向かって延在する板状のバスバーであり、第三導電体１３３の一端は、第四導電体１３４（後述）を介して負極側の電極端子１１２と電気的に接続されており、他端は第二外部電極１６２が電気的に接続されている。また、第二導電体１３２には、電気機器１０４の一つとしてシャント抵抗１４２が介在配置されている。
【００５５】
第二導電体１３２は、電極端子１１２と第一導電体１３１とを電気的に接続する部材である。本実施の形態の場合、第二導電体１３２は、一方の電極端子１１２（正極側の電極端子１１２）と第一導電体１３１とを電気的に接続し、防護壁１５１を越える位置に第一導電体１３１を機械的に保持している。また、第二導電体１３２は、一方の電極端子１１２の位置から安全弁１１４の周縁近傍、つまり、防護壁１５１の切り欠き部分にまで延在している。
【００５６】
第二導電体１３２は、導電性と剛性とを兼ね備えた板状のバスバーを厚さ方向に折曲加工することにより形成されている。具体的には第二導電体１３２は、一方の電極端子１１２から筐体１１１に沿って安全弁１１４の近傍にまで延びる延在部１９１と、延在部１９１の先端から筐体１１１から遠ざかる方向に立ち上がる立壁部１９３と、立壁部１９３の先端から延在部１９１と平行、または、略平行で一方の電極端子１１２に向かって延びる接続部１９２とを備えている。すなわち、第二導電体１３２は、側面視コ字状、または、Ｃ字状となっている。
【００５７】
なお、第二導電体１３２は、図６に示すように、安全弁１１４の上方に延在するものでもかまわない。これにより、防護壁１５１と第二導電体１３２により安全弁１１４を保護することが可能となる。
【００５８】
第一導電体１３１と第二導電体１３２とは、着脱可能に電気的、かつ、機械的に接続されている。具体的には、第一導電体１３１の端部には厚さ方向に貫通する孔が設けられており、当該孔にボルト１９４を挿通することができるものとなっている。一方、第二導電体１３２の接続部１９２には、厚さ方向に貫通する孔が設けられており、これに対応する位置にナット（図示せず）が固定されている。第一導電体１３１に刺し通されたボルト１９４を第二導電体１３２に固定されているナットにねじ込むことで、第一導電体１３１と第二導電体１３２とは締結され、電気的、かつ、機械的に接続される。
【００５９】
また本実施の形態の場合、蓄電装置１００は、第四導電体１３４を備えている。第四導電体１３４は、他方の電極端子１１２（本実施の形態の場合、負極側の電極端子１１２）と第三導電体１３３とを電気的に接続し、筐体１１１から他方の電極端子１１２よりも離れた位置に第三導電体１３３を機械的に保持する導電性の部材である。本実施の形態の場合、第四導電体１３４は、導電性と剛性とを兼ね備えた板状のバスバーを厚さ方向に折曲加工することにより形成されている。具体的には第四導電体１３４は、第二導電体１３２と同様の形状、構造となっている。
【００６０】
第三導電体１３３と第四導電体１３４とは、着脱可能に電気的、かつ、機械的に接続されている。第三導電体１３３と第四導電体１３４との具体的な取り付け態様は、第一導電体１３１と第二導電体１３２の取り付け態様と同様である。
【００６１】
第一外部電極１６１は、外装体１０２の外側に取り付けられ、電池１０１の表面に沿って電極端子１１２から離れた位置に配置される電極である。本実施の形態の場合、第一外部電極１６１は、第一導電体１３１と電気的に接続され外装体１０２に貫通状に配置される導電性の部材であり、電池１０１に対し充電し、また、電池１０１から電力を供給するために外部の機器と電気的に接続される部材である。本実施の形態の場合、第一外部電極１６１は、第一導電体１３１の端部に機械的に接続されており、また、蓋体１２２に貫通状態で配置され、機械的に接続されている。
【００６２】
第二外部電極１６２は、外装体１０２の外側に取り付けられ、電池１０１の表面に沿って他の電極端子１１２から離れた位置に配置される電極である。本実施の形態の場合、第二外部電極１６２は、第三導電体１３３と電気的に接続され外装体１０２に貫通状に配置される導電性の部材であり、電池１０１に対し充電し、また、電池１０１から電力を供給するために外部の機器と電気的に接続される部材である。本実施の形態の場合、第二外部電極１６２は、第三導電体１３３の端部に機械的に接続されており、また、蓋体１２２貫通状態で配置され、機械的に接続されている。
【００６３】
さらに、本実施の形態の場合、図３に示すように、第一導電体１３１が接続される電極端子１１２と第三導電体１３３が接続される電極端子１１２との距離より、第一外部電極１６１と第二外部電極１６２との距離が長くなるように第一外部電極１６１と第二外部電極１６２とが配置されている。つまり、第一導電体１３１と第二導電体１３２とは、一方に対して他方が傾斜する非平行状態で配置されている。
【００６４】
このような配置をすることにより、第一外部電極１６１、および、第二外部電極１６２と他の単電池１１０の電極端子とバスバーで接続される電極端子１１２との空間距離を長くすることができ、また、絶縁部材の配置を容易にすることができる。また、第一導電体１３１と第二導電体１３２とで挟まれる空間の面積を広くすることができ、電気機器１０４を第一導電体１３１と第二導電体１３２との間に容易に配置することができる。
【００６５】
電気機器１０４は、導電体１０３に接続される機器である。本実施の形態の場合、電気機器１０４は、電池１０１の状態を取得し、監視し、制御することのできる電子的、電気的な機器である。具体的には前述したとおり、例えば、電気機器１０４としては、電池１０１への充電や電池１０１からの放電を遮断するリレー１４１や、充電や放電状態を電流（電圧）で監視するためのシャント抵抗１４２、シャント抵抗１４２の両端部間の電圧を監視し、リレー１４１のオン、オフを制御し、他の機器と通信を行う制御回路が設けられた制御基板（図示せず）を挙示することができる。
【００６６】
本実施の形態の場合、図１に示すように、外装体本体１２１と着脱可能な蓋体１２２は、電気機器１０４と、第一導電体１３１と、第三導電体１３３とが取り付けられている。蓋体１２２はさらに、外方に向かって膨出する膨出部１２３を備えている。膨出部１２３は、内方に電気機器１０４を収容する蓋体１２２の部分である。また、蓋体１２２に機械的に取り付けられる第一外部電極１６１、および、第二外部電極１６２は、膨出部１２３よりも突出しない状態で膨出部の側方に配置されている。さらに、第一外部電極１６１と第二外部電極１６２とは、膨出部１２３の切り欠かれた部分である切欠部１２４に配置され、膨出部１２３に２方を囲まれた状態で配置されている。これにより、第一外部電極１６１と第二外部電極１６２とを膨出部１２３により物理的な衝撃などから保護することが可能となる。
【００６７】
また、膨出部１２３の側壁には、内方に窪んだ凹陥部１２５が設けられており、凹陥部１２５に電気機器１０４に接続されるコネクタ１４４が設けられている。これにより、コネクタ１４４を膨出部１２３により物理的な衝撃などから保護することが可能となる。
【００６８】
さらに、膨出部１２３には、膨出部１２３を開放することができる着脱自在なカバー部材１２６が取り付けられている。
【００６９】
膨出部１２３に取り付けられるカバー部材１２６を取り外すことにより、リレー１４１やシャント抵抗１４２や制御基板（図示せず）に容易にアクセスすることができ、調整作業の容易化を図ることが可能となる。また、第一導電体１３１と第二導電体１３２との接続部分や、第三導電体１３３と第四導電体１３４との接続部分を露出させることができ、事前に第一導電体１３１、第三導電体１３３、電気機器１０４を蓋体１２２に取り付けた後、蓋体１２２を外装体本体１２１に取り付け、露出した接続部分にボルト等を取り付けて第一導電体１３１と第二導電体１３２とを締結し、第三導電体１３３と第四導電体１３４とを締結することが可能となる。
【００７０】
以上のようにすることで、蓄電装置１００を組み立てる際に、電池１０１（特に弁の部分）に部品が落下したり接触したりする不具合を可及的に回避することができ歩留まりを向上させることが可能となる。
【００７１】
また、防護壁１５１を回避することなく導電体１０３を単純な態様で配置しているため、電池１０１の上方の空間を小さくすることができ、延いては蓄電装置１００全体の体積を小さく抑えることが可能となる。
【００７２】
さらに、防護壁１５１が電池１０１に対して非対称な状態で配置されているため、導電体１０３などを電池１０１に取り付ける場合に、極性を間違える不具合を回避することができる。
【００７３】
なお、本願発明は、上記実施の形態に限定されるものではない。例えば、本明細書において記載した構成要素を任意に組み合わせて、また、構成要素のいくつかを除外して実現される別の実施の形態を本願発明の実施の形態としてもよい。また、上記実施の形態に対して本願発明の主旨、すなわち、請求の範囲に記載される文言が示す意味を逸脱しない範囲で当業者が思いつく各種変形を施して得られる変形例も本願発明に含まれる。
【００７４】
例えば、第二導電体１３２や第四導電体１３４の形状は、図５に示すような側面視コ字（Ｃ字）形状ばかりでなく、側面視Ｚ字形状や、側面視閉じた矩形の環状でもかまわない。
【００７５】
また、第二導電体１３２（第四導電体１３４）を側面視コ字状、または、Ｃ字状の剛体として説明しているが、特にこれに限定されるわけではない。また、第二導電体１３２と、筐体１１１との間に、絶縁部材があるとより好ましい。第二導電体１３２が電極端子１１２の横方向まで延びることで、筐体１１１と第二導電体１３２との短絡が起こる可能性を低くすることができる。
【００７６】
また、蓄電素子として電池１０１を例示したが、電池ばかりでなくキャパシタなども蓄電素子に含まれる。
【００７７】
本明細書、および、特許請求の範囲において、剛性がある（剛体）とは、自重に耐えることができる程度の剛性、またはそれ以上のものとして記載している。
【産業上の利用可能性】
【００７８】
本願発明は、例えば人や物を輸送する輸送用機器に搭載される電力供給用の蓄電装置として利用可能であり、特に、輸送用機器の制御機器などに電力を供給する蓄電装置に利用可能である。
【符号の説明】
【００７９】
１００  蓄電装置
１０１  電池
１０２  外装体
１０３  導電体
１０４  電気機器
１０５  規制体
１１０  単電池
１１１  筐体
１１２  電極端子
１１３  バスバー
１１４  安全弁
１２１  外装体本体
１２２  蓋体
１２３  膨出部
１２４  切欠部
１２５  凹陥部
１２６  カバー部材
１３１  第一導電体
１３２  第二導電体
１３３  第三導電体
１３４  第四導電体
１４１  リレー
１４２  シャント抵抗
１４４  コネクタ
１５１  防護壁
１５２  貫通孔
１６１  第一外部電極
１６２  第二外部電極
１９１  延在部
１９２  接続部
１９３  立壁部
１９４  ボルト
【図１】
2014197514.tif 000003
【図２】
2014197514.tif 000004
【図３】
2014197514.tif 000005
【図４】
2014197514.tif 000006
【図５】
2014197514.tif 000007
【図６】
2014197514.tif 000008